(57)【特許請求の範囲】
【請求項１】
第一の情報を表示する第一の表示部と、
第二の情報を表示する第二の表示部と、
前記第一の表示部と前記第二の表示部とを制御する制御素子及び前記第一の表示部を照明する第一の発光素子を有する第一の回路基板と、
前記第二の表示部を照明する第二の発光素子を有する第二の回路基板と、
前記第一の回路基板と前記第二の表示部とを電気的に接続する第一の配線部材と、
前記第一の回路基板と前記第二の回路基板を電気的に接続する第二の配線部材と、
前記第一の表示部と前記第二の表示部と前記第一の回路基板と前記第二の回路基板と前記第一の配線部と前記第二の配線部を格納する中ケースと、
を備え、
前記中ケースは、前記第一の配線部材を前記第一の基板の裏側に案内するガイド部を有することを特徴とする表示装置。
【請求項２】
前記ガイド部は、前記第一の配線部材をガイドする溝部と、前記第一の配線部材を前記第一の回路基板の裏側に設けられたコネクタへと案内する穴部を有することを特徴とする請求項１に記載の表示装置。
【発明の詳細な説明】
【技術分野】
【０００１】
本発明は、複数の回路基板を備えた表示装置に関するものである。
【背景技術】
【０００２】
従来、自動車等の車両に搭載される表示装置においては、限られたスペース内で多様な情報を表示するため、その表示形態や回路構成も複雑化しており、これに対応するために、ケース内に複数の回路基板を備えてなる表示装置がある。この場合、回路基板間の電気的な接続を行うための配線を用いて実現することができる。
【先行技術文献】
【特許文献】
【０００３】
【特許文献１】特許第４８４９３７８号公報
【発明の概要】
【発明が解決しようとする課題】
【０００４】
しかしながら、表示情報の多様化に伴い、表示装置内での表示の広範囲化が必要となり、複数の表示部と複数の回路基板を接続する配線数が増加し複雑化していた。このため、組み付け、あるいはメンテナンスを行う際に誤って配線を傷つけないようにするために、従来にも増して配線の引き回しが問題となっていた。
【０００５】
本発明は、これらの問題に鑑みなされたものであり、組み付け、あるいはメンテナンスが容易で、配線の断線を生じなさせない表示装置を提供するものである。
【課題を解決するための手段】
【０００６】
本発明は、第一の情報を表示する第一の表示部と、第二の情報を表示する第二の表示部と、前記第一の表示部と前記第二の表示部とを制御する制御素子及び前記第一の表示部を照明する第一の発光素子を有する第一の回路基板と、前記第二の表示部を照明する第二の発光素子を有する第二の回路基板と、前記第一の回路基板と前記第二の表示部とを電気的に接続する第一の配線部材と、前記第一の回路基板と前記第二の回路基板を電気的に接続する第二の配線部材と、前記第一の表示部と前記第二の表示部と前記第一の回路基板と前記第二の回路基板と前記第一の配線部と前記第二の配線部を格納する中ケースと、を備え、前記中ケースは、前記第一の配線部材を前記第一の基板の裏側に案内するガイド部を有することを特徴とする。
【０００７】
また、本発明は、前記ガイド部は、前記第一の配線部材をガイドする溝部と、前記第一の配線部材を前記第一の回路基板の裏側に設けられたコネクタへと案内する穴部を有することを特徴とする。
【発明の効果】
【０００８】
組み付け、あるいはメンテナンスが容易で、配線の断線を生じさせない表示装置を提供することができる。
【図面の簡単な説明】
【０００９】
【図１】本発明の一実施形態を示す断面図。
【図２】同実施形態を示す前面図。
【図３】同実施形態による表示装置のシステム構成を示すブロック図。
【発明を実施するための形態】
【００１０】
以下、添付図面を用いて、本発明の一実施形態を説明する。
【００１１】
表示装置（図示せず）は、第一の表示部１０と、第二の表示部２０と、第一の回路基板３０と、第二の回路基板４０と、第一の配線部材５０と、第二の配線部材６０と、中ケース７０と、外ケース８０と、で主に構成され、車両のインストルメントパネルに設けられる。
【００１２】
第一の表示部１０は、液晶表示素子１１ａ，１１ｂ，１１ｃと、この液晶表示素子１１ａ，１１ｂ，１１ｃを透過照明するための発光ダイオード１２ａ，１２ｂ，１２ｃと、液晶表示素子１１ａ，１１ｂ，１１ｃと発光ダイオード１２ａ，１２ｂ，１２ｃとの間隔を保持するとともに照明光を液晶表示素子１１ａ，１１ｂ，１１ｃに均一に照明するための光反射形状の調光部材（図示せず）と、を設けている。なお、第一の表示部１０は、液晶表示素子１１ａ，１１ｂ，１１ｃによる表示だけでなく、例えば、指針（図示せず）の回動によって変化する指示値を判読させる指示表示を行うものも適用できる。また、有機ＥＬなどの自発光型の表示素子も適用できる。なお、発光ダイオード１２ａ，１２ｂ，１２ｃは、第一の表示部１０の他の照明に用いることができる。また、本実施形態では第一の表示部１０に備える液晶表示素子及び発光ダイオードが三組の構成を例示したが、一組あるいは二組以上備える構成及び発光ダイオードの数が液晶表示素子の数を上回る構成も適用できる。
【００１３】
第二の表示部２０は、液晶表示素子２１と、この液晶表示素子２１を透過照明するための発光ダイオード２２と、液晶表示素子２１と発光ダイオード２２との間隔を保持するとともに照明光を液晶表示素子２１に均一に照明するための光反射形状の調光部材（図示せず）と、を設けている。なお、第二の表示部２０は、液晶表示素子２１による表示だけでなく、有機ＥＬなどの自発光型の表示素子も適用できる。なお、発光ダイオード２２は第二の表示部２０の他の照明に用いることができる。また、本実施形態では第二の表示部２０に備える液晶表示素子及び発光ダイオードが一組の構成を例示したが、二組以上備える構成及び発光ダイオードの数が液晶表示素子の数を上回る構成も適用できる。
【００１４】
第一の回路基板３０は、液晶表示素子１１ａ，１１ｂ，１１ｃや発光ダイオード１２ａ，１２ｂ，１２ｃと電気的に接続され、第一の表示部１０の表示を行うためのマイクロコンピュータ等の制御素子３２を含む表示駆動回路３３ａ，３３ｂ，３３ｃ及び第一の表示部１０を照明するための照明駆動回路３４ａ，３４ｂ，３４ｃを実装し、中ケース７０に保持される。また、第一の回路基板３０は、第二の表示部２０の表示を行うための表示駆動回路３３ｄを実装し、第一の回路基板３０の端部付近に実装されたコネクタ３１ａと、第一の配線部材５０を介して液晶表示素子２１と電気的に接続される。さらに、第一の回路基板３０は、第一の回路基板３０の端部付近に実装されたコネクタ３１ｂと、第二の配線部材６０と、第二の回路基板４０の端部付近に実装されたコネクタ４１とを介して第二の回路基板４０と電気的に接続される。第一の回路基板３０には、外部コネクタ（図示せず）が実装されており、車両側と電気的に接続される。表示装置（図示せず）は、外部コネクタ（図示せず）を介して電源や車両情報に関する信号等を入力し、これらの信号等を、表示駆動回路３３ａ，３３ｂ，３３ｃ，３３ｄ及び照明駆動回路３４ａ，３４ｂ，３４ｃ，４２により処理を行い、第一の表示部１０及び第二の表示部２０を表示及び照明させることができる。
【００１５】
第二の回路基板４０は、発光ダイオード２２と電気的に接続され、第二の表示部２０を照明するための照明駆動用回路４２を実装し、中ケース７０に保持される。
【００１６】
第一の配線部材５０は、第二の液晶表示素子２１と第一の回路基板３０を電気的に接続するための被膜コードやフレキシブルプリント配線板などの可撓性のものが適用できる。また、第一の配線部材５０は後述する組み付け作業に好適な長さのものが選択されて用いられる。
【００１７】
第二の配線部材６０は、第一の回路基板３０と第二の回路基板４０を電気的に接続するための被膜コードやフレキシブルプリント配線板などの可撓性のものが適用できる。また、第二の配線部材６０は後述する組み付け作業に好適な長さのものが選択されて用いられる。
【００１８】
中ケース７０は、透明や半透明など光透過性の合成樹脂材を適用することができ、第一の配線部材５０の組み付け位置を開口し、中ケース７０の内側に第一の表示部１０、第二の表示部２０、第一の回路基板３０、第二の回路基板４０を固定手段やビスなどを用いて保持することができる。また、中ケース７０は、第一の配線部材５０を第一の回路基板３０の裏側に案内するガイド部７１ａを形成している。ガイド部７１ａは第一の配線部材５０をガイドする溝部７１ｂと、溝部７１ｂからつながり第一の回路基板３０の裏側に設けられたコネクタ３１ａへと案内する穴部７１ｃを備えている。ガイド部７１ａによって、第一の配線部材５０を傷つけることなく配線することができる。
【００１９】
外ケース８０は、合成樹脂材を適用することができ、中ケース７０を固定手段やビスなどを用いて保持することができる。
【００２０】
このような構成によって、第一の表示部１０、第二の表示部２０、第一の回路基板３０、第二の回路基板４０を中ケース７０に保持した後であっても、第一の配線部材５０及び第二の配線部材６０をコネクタ３１ａ，３１ｂ，４１に対して簡単に脱着作業ができる。
【００２１】
したがって、第一の配線部材５０及び第二の配線部材６０が噛み込まれることなく、簡単に第一の配線部材５０及び第二の配線部材６０の収納作業ができ、脱着作業に伴う第一の配線部材５０及び第二の配線部材６０の断線を防止できる。
【００２２】
なお、本発明の車両用計器を上述した実施形態の構成を例に挙げて説明したが、本発明はこれに限定されるものではなく、他の構成においても、本発明の要旨を逸脱しない範囲において種々の改良、並びに設計の変更が可能なことは言うまでもない。
【符号の説明】
【００２３】
１０    第１の表示部
１１ａ  液晶表示パネル
１１ｂ  液晶表示パネル
１１ｃ  液晶表示パネル
１２ａ  発光素子
１２ｂ  発光素子
１２ｃ  発光素子
２０    第２の表示部
２１    液晶表示パネル
２２    発光素子
３０    第一の回路基板
３１ａ  コネクタ部材
３１ｂ  コネクタ部材
３２    制御素子
３３ａ  表示駆動回路
３３ｂ  表示駆動回路
３３ｃ  表示駆動回路
３３ｄ  表示駆動回路
３４ａ  照明駆動回路
３４ｂ  照明駆動回路
３４ｃ  照明駆動回路
３５    インタフェース回路
４０    第二の回路基板
４１    コネクタ部材
４２    照明駆動回路
５０    第一の配線部材
６０    第二の配線部材
７０    中ケース
７１ａ  ガイド部
７１ｂ  溝部
７１ｃ  穴部
７２    空洞部
８０    外ケース
【図１】
0006315261.tif 000002
【図２】
0006315261.tif 000003
【図３】
0006315261.tif 000004